(57)【特許請求の範囲】
【請求項１】
複数の画素を含むディスプレイパネル；
前記複数の画素を駆動する駆動部；
入力映像データを補償し、前記補償された入力映像データを前記駆動部に提供する画素補償モジュールを含み、
前記画素補償モジュールは、
前記ディスプレイパネルに含まれたそれぞれの画素に対応する劣化データを参照して劣化領域を検出する劣化領域検出部；
前記劣化領域に含まれた画素の補償データを補正するための第１補償ゲイン及び前記劣化領域の最も外側の画素から予め設定された第１距離内の劣化隣接領域に含まれた画素の補償データを補正するための第２補償ゲインを決定する補償ゲイン決定部；及び
前記第１補償ゲイン及び前記第２補償ゲインを利用して前記劣化領域に含まれた画素の補償データ及び前記劣化隣接領域に含まれた画素の補償データを補正する補償データ補正部を含み、
前記補償ゲイン決定部は、
前記劣化領域の最も外側の画素から前記劣化領域の中心画素に移動するほど、前記劣化領域に含まれた画素の最終補償データの大きさが減少されるように前記第１補償ゲインを決定し、
前記劣化隣接領域は、
前記劣化領域の最も外側の画素から予め設定された第２距離内の第１劣化隣接領域と前記第１劣化隣接領域の最も外側の画素と前記劣化隣接領域の最も外側の画素の間の第２劣化隣接領域を含み、
前記補償ゲイン決定部は、
前記劣化領域に隣接する第１劣化隣接領域の画素から前記第１劣化隣接領域の最も外側の画素に移動するほど、前記第１劣化隣接領域に含まれた画素の最終補償データの大きさが補正前の前記画素の補償データの値を起点として増加されるように前記第２補償ゲインを決定し、
前記第１劣化隣接領域の最も外側の画素から前記第２劣化隣接領域の最も外側の画素に移動するほど、前記第２劣化隣接領域に含まれた画素の最終補償データの大きさが減少されるように前記第２補償ゲインを決定する、ディスプレイ装置。
【請求項２】
前記劣化領域検出部は、
前記劣化データを参照してそれぞれの画素が劣化画素であるか否かを決定し、
互いに隣接した劣化画素の個数が予め設定された劣化領域基準値以上であれば、前記隣接した劣化画素を含む領域を前記劣化領域として決定する、請求項１に記載のディスプレイ装置。
【請求項３】
前記劣化領域検出部は、
予め設定された検出領域に含まれる画素の劣化データに検出マスクを適用して劣化偏差値を算出し、前記劣化偏差値に基づいて劣化領域を検出する、請求項１に記載のディスプレイ装置。
【請求項４】
前記補償データ補正部は、
前記入力映像データから生成された映像特性定数に基づいて前記劣化領域に含まれた画素の補償データ、または前記劣化隣接領域に含まれた画素の補償データに対する補正可否を決定する、請求項１に記載のディスプレイ装置。
【請求項５】
前記補償ゲイン決定部は、入力映像データから生成された映像特性定数に基づいて前記劣化領域に含まれる画素の最終補償データの最小値、または前記劣化隣接領域に含まれる画素の最終補償データの最大値を調整する、請求項１に記載のディスプレイ装置。
【請求項６】
前記補償ゲイン決定部は、
前記劣化領域に含まれた画素の劣化データが予め設定された補償基準値以上であれば、前記画素の第１補償ゲインを０に決定する、請求項１に記載のディスプレイ装置。
【請求項７】
前記駆動部は、
タイミングコントローラー及びデータ駆動部を含む、請求項１に記載のディスプレイ装置。
【請求項８】
前記画素補償モジュールは、
前記補償された入力映像データを前記タイミングコントローラーに提供し、前記タイミングコントローラーは、前記補償された入力映像データを前記データ駆動部に提供する前にさらに補償する、請求項７に記載のディスプレイ装置。
【請求項９】
画素に割り当てられた補償データを補正する画素補償方法において、
ディスプレイパネルに含まれたそれぞれの画素に対応する劣化データを参照して劣化領域を検出する段階；
前記劣化領域に含まれた画素の補償データを補正するための第１補償ゲイン、及び前記劣化領域の最も外側の画素から予め設定された第１距離内の劣化隣接領域に含まれた画素の補償データを補正するための第２補償ゲインの一つ以上を決定する段階；及び
前記第１補償ゲイン及び前記第２補償ゲインの一つ以上を利用して、前記劣化領域に含まれた画素の補償データ及び前記劣化隣接領域に含まれた画素の補償データの一つ以上を補正する段階を含み、
前記決定する段階は、
前記劣化領域の最も外側の画素から前記劣化領域の中心画素に移動するほど、前記劣化領域に含まれた画素の最終補償データの大きさが減少されるように前記第１補償ゲインを決定する段階を含み、
前記劣化隣接領域は、
前記劣化領域の最も外側の画素から予め設定された第２距離内の第１劣化隣接領域と、前記第１劣化隣接領域の最も外側の画素と前記劣化隣接領域の最も外側の画素の間の第２劣化隣接領域を含み、
前記決定する段階は、
前記劣化領域に隣接する第１劣化隣接領域の画素から前記第１劣化隣接領域の最も外側の画素に移動するほど、前記第１劣化隣接領域に含まれた画素の最終補償データの大きさが補正前の前記画素の補償データの値を起点として増加されるように前記第２補償ゲインを決定する段階；及び
前記第１劣化隣接領域の最も外側の画素から前記第２劣化隣接領域の最も外側の画素に移動するほど、前記第２劣化隣接領域に含まれた画素の最終補償データの大きさが減少されるように前記第２補償ゲインを決定する段階を含む、画素補償方法。
【請求項１０】
前記検出する段階は、
前記劣化データを参照してそれぞれの画素が劣化画素であるか否かを決定する段階；及び
互いに隣接した劣化画素の個数が予め設定された劣化領域基準値以上であれば、前記隣接した劣化画素を含む領域を前記劣化領域として決定する段階を含む、請求項９に記載の画素補償方法。
【請求項１１】
前記決定する段階は、
入力映像データから生成された映像特性定数に基づいて前記劣化領域に含まれる画素の最終補償データの最小値、または前記劣化隣接領域に含まれる画素の最終補償データの最大値を調整する段階を含む、請求項９に記載の画素補償方法。
【請求項１２】
前記決定する段階は、
前記劣化領域に含まれた画素の劣化データが予め設定された補償基準値以上であれば、前記画素の第１補償ゲインを０に決定する段階を含む、請求項９に記載の画素補償方法。
【発明の詳細な説明】
【技術分野】
【０００１】
本発明は、ディスプレイ装置と画素補償モジュール及び画素補償方法に関するものである。
【背景技術】
【０００２】
既存の陰極線管（Ｃａｔｈｏｄｅ  Ｒａｙ  Ｔｕｂｅ）ディスプレイ装置に代わるためのフラットパネルディスプレイ装置（Ｆｌａｔ  Ｐａｎｅｌ  Ｄｉｓｐｌａｙ）としては、液晶ディスプレイ素子（Ｌｉｑｕｉｄ  Ｃｒｙｓｔａｌ  Ｄｉｓｐｌａｙ）、電界放出ディスプレイ装置（Ｆｉｅｌｄ  Ｅｍｉｓｓｉｏｎ  Ｄｉｓｐｌａｙ）、プラズマディスプレイ装置（Ｐｌａｓｍａ  Ｄｉｓｐｌａｙ  Ｐａｎｅｌ）及び有機発光ディスプレイ装置（Ｏｒｇａｎｉｃ  Ｌｉｇｈｔ-Ｅｍｉｔｔｉｎｇ  Ｄｉｏｄｅ  Ｄｉｓｐｌａｙ、ＯＬＥＤ  Ｄｉｓｐｌａｙ）などがある。
【０００３】
この中で、有機発光ディスプレイ装置に利用される有機発光ダイオード（ＯＬＥＤ）は、高い輝度と低い動作電圧の特性を有する。また、有機発光ダイオード自ら光を出す自体発光型であるため明暗比（ＣＯＮＴＲＡＳＴ  ＲＡＴＩＯ）が大きく、超薄型ディスプレイの実現が容易である。また、有機発光ダイオードは、応答時間が数マイクロ秒（μs）程度で動画像の実現が容易であり、視野角の制限がないし、低温でも安定的であるという長所がある。
【０００４】
有機発光ディスプレイ装置には、有機発光ダイオードを含んだ画素がマトリックス状に配列され、画素それぞれには映像データに対応するデータ電圧が印加されて、有機発光ダイオードに駆動電流が流れて一定輝度で発光するようになる。この時、有機発光ディスプレイ装置は、すべての画素の輝度が均一な状態が理想的な駆動状態である。しかし、画素の間の駆動トランジスターの電気的特性の偏差、画素の間のセル駆動電圧の偏差及び画素の間の有機発光ダイオードの劣化偏差などによって画素の間の輝度均一度を減少するようになる。
【０００５】
特に、有機発光ダイオードの劣化偏差は残像現象をもたらし、有機発光ディスプレイ装置の画質を落とす原因となる。
【０００６】
従来は、有機発光ダイオードの劣化偏差による画素の間の輝度偏差を補償するために、映像データの累積データ量によって補償データを決定する。以降、決まった補償データを利用して映像データを補償し、補償された映像データをデータ電圧に変換し、画素に印加する補償方式が提案された。
【０００７】
図１は従来の劣化補償モジュール１０の構成を図示した図面である。
【０００８】
図１を参照すれば、従来の劣化補償モジュール１０は、整列部１１、メモリー１２、ルックアップテーブル１３及び劣化補償部１４を備える。
【０００９】
映像整列部１１は映像信号から変換された映像データ（ＤＡＴＡ）をディスプレイパネルの大きさ及び解像度に対応して出力する。メモリー１２には各画素に印加される映像データ（ＤＡＴＡ）がフレームごとに累積され、各画素別累積データ量として保管される。ルックアップテーブル１３には、累積データ量の平均累積データ量と累積駆動時間に対応する補償データがマッピングされて保管される。
【００１０】
劣化補償部１４は、ルックアップテーブル１３とメモリー１２を参照して各画素ごとに累積データ量に応じる輝度減少量をルックアップテーブル１３から読み取る。劣化補償部１４は画素別に輝度減少量に応じる補償データ（Ｃｄａｔａ）をルックアップテーブル１３から読み取り、各画素に対応する映像データ（ＤＡＴＡ）に補償データ（Ｃｄａｔａ）を付け加えて、補償された映像データ（ＤＡＴＡ’）を出力する。以降、画素には補償された映像データ（ＤＡＴＡ’）と対応するデータ電圧が印加され、目標輝度として発光するようになる。
【００１１】
図２は、映像データを補償する前の画素の輝度（Ｌ１--）、映像データを補償するための補償データ（Ｃｄａｔａ）及び映像データを補償した後、画素の輝度（Ｌ２）を図示したグラフである。
【００１２】
図１及び図２を参照すれば、映像データを補償する前に、劣化が発生した画素区間（ＡＲ２）の輝度（Ｌ１）aと、劣化が発生していない画素区間（ＡＲ１、ＡＲ３）の輝度（Ｌ１）bを比べると、cぐらいの輝度差が発生する。これによって、劣化が発生した画素区間（ＡＲ２）と劣化が発生していない画素区間（ＡＲ１、ＡＲ３）の境界で輝度段差が発生する。
【００１３】
劣化補償部１４は、劣化による輝度差を減少させるために、ルックアップテーブル１３とメモリー１２を参照にして劣化が発生した画素区間（ＡＲ２）の輝度減少量（b）によって補償データ（Ｃｄａｔａ）をbぐらいと設定する。以後、劣化補償部１４は劣化が発生した画素区間（ＡＲ２）に表示される映像データ（ＤＡＴＡ）に設定された補償データ（Ｃｄａｔａ）bを付け加えて補償された映像データ（ＤＡＴＡ’）を出力する。
【００１４】
このような従来の補償方法によれば、劣化が発生した画素区間（ＡＲ２）に補償された映像データ（ＤＡＴＡ’）が入力されることで、補償後に劣化が発生した画素区間（ＡＲ２）の輝度（Ｌ２）がaで、補償前の輝度差cぐらい上昇する。これによって、映像データを補償した後、劣化が発生した画素区間（ＡＲ２）の輝度（Ｌ２）は、劣化が発生していない画素区間（ＡＲ１、ＡＲ３）の輝度（Ｌ２）bと同一になるので、劣化が発生した画素区間（ＡＲ２）と劣化が発生していない画素区間（ＡＲ１、ＡＲ３）の間の輝度差が発生しなくなる。
【００１５】
しかし、このような従来の劣化補償方法によれば、劣化が発生した画素に引き続き補償データ（Ｃｄａｔａ）に対応する大きさの電流がさらに流れるようになる。このように、劣化が発生した画素に流れる電流の大きさが増加するため、劣化補償を行うほど画素の劣化が加速される問題点がある。
【発明の概要】
【発明が解決しようとする課題】
【００１６】
本発明は、劣化領域に含まれた画素の最終補償データを減少させ、劣化隣接領域に含まれた画素の最終補償データを増加させることで劣化領域に含まれた画素の劣化の度合を減少させながらも、劣化による画質低下を改善できるディスプレイ装置及びディスプレイ装置の駆動方法を提供することを目的とする。
【００１７】
また、本発明は画素の劣化データの間の偏差に基づいて使用者から認知されやすい劣化領域を検出し、検出された劣化領域に対して補償を行うことで、より效率的な劣化補償ができるディスプレイ装置及びディスプレイ装置の画素補償モジュール及び方法を提供することを目的とする。
【００１８】
また、本発明は、映像特性定数に基づいて補正可否を決定することで、必要な場合にのみ補償を行うためのディスプレイ装置及びディスプレイ装置の画素補償モジュール及び方法を提供することを目的とする。
【００１９】
本発明の目的は、以上で言及した目的に制限されないし、言及されていない本発明の他の目的及び長所は、下記の説明によって理解されることができ、本発明の実施形態によってより明らかに理解される。また、本発明の目的及び長所は、特許請求の範囲に示した手段及びその組み合わせによって実現できることを容易に分かることができる。
【課題を解決するための手段】
【００２０】
従来は劣化が発生した画素に対してのみ劣化を補償するための補償データを加えて画素を駆動させることで、補償が進められるほど補償が行われた画素の劣化が加速される問題点があった。
【００２１】
このような問題点を解決するために、本発明の一実施形態による画素補償方法では、ディスプレイパネルに含まれたそれぞれの画素に対応する劣化データを参照して劣化領域を検出する。そして、劣化領域に含まれた画素の補償データを補正するための第１補償ゲイン及び劣化領域の最も外側の画素から予め設定された第１距離内の劣化隣接領域に含まれた画素の補償データを補正するための第２補償ゲインを決定する。次に、劣化領域に含まれた画素の補償データ及び劣化隣接領域に含まれた画素の補償データを補正する。
【００２２】
また、本発明の一実施形態による画素補償モジュールは、ディスプレイパネルに含まれたそれぞれの画素に対応する劣化データを参照して劣化領域を検出する劣化領域検出部、前記劣化領域に含まれた画素の補償データを補正するための第１補償ゲイン及び前記劣化領域の最も外側の画素から予め設定された第１距離内の劣化隣接領域に含まれた画素の補償データを補正するための第２補償ゲインを決定する補償ゲイン決定部、及び前記第１補償ゲイン及び前記第２補償ゲインを利用して前記劣化領域に含まれた画素の補償データ及び前記劣化隣接領域に含まれた画素の補償データを補正する補償データ補正部を含む。
【００２３】
また、本発明の一実施形態によるディスプレイ装置は、データラインとゲートラインの交差地点に配置される画素を含むディスプレイパネル、前記ゲートラインにゲート信号を供給するゲート駆動部、前記ゲート駆動部及び前記データ駆動部を制御し、前記ディスプレイパネルに含まれたそれぞれの画素に対応する劣化データ及び補償データを生成するタイミング制御部、及び前記劣化データを参照して劣化領域を検出し、前記劣化領域に含まれた画素の補償データを補正するための第１補償ゲイン、及び前記劣化領域の最も外側の画素から予め設定された第１距離内の劣化隣接領域に含まれた画素の補償データを補正するための第２補償ゲインを決定し、前記第１補償ゲイン及び前記第２補償ゲインを利用して前記劣化領域に含まれた画素の補償データ及び前記劣化隣接領域に含まれた画素の補償データを補正する画素補償モジュールを含む。ここでタイミング制御部は画素補償モジュールによって補正された補償データを利用して入力映像データを補償し、前記補償された入力映像データを前記データ駆動部に供給する。
【００２４】
本発明では、各画素の劣化データを参照して劣化領域及び劣化隣接領域が設定される。前述したように、従来は劣化領域に対する補償によって劣化領域にあたる画素の劣化が加速する問題点があるが、本発明ではこのような問題点を克服するために劣化領域に対する補償を従来に比べて減少する代わりに、劣化隣接領域に対する補償を適用する。
【００２５】
このような本発明の補償方法によれば、劣化による画質低下を防止すると同時に、劣化領域に含まれた画素劣化の度合を減少させることで、ディスプレイ装置の寿命を延長することができる。
【００２６】
前述のような本発明によれば、劣化領域に含まれた画素の最終補償データを減少させ、劣化隣接領域に含まれた画素の最終補償データを増加させることで、劣化による画質低下を防止すると同時に、劣化領域に含まれた画素劣化の度合を減少させることで、ディスプレイ装置の寿命を延長することができる。
【００２７】
また、本発明によれば、画素劣化データの間の偏差に基づいて使用者から認知されやすい劣化領域を検出し、検出された劣化領域に対して補償を行うことで、より效率的な劣化補償が可能である。
【００２８】
また、本発明によれば、入力映像データから生成された映像特性定数に基づいて画素の補償データに対する補正可否を決定することで、必要な場合にのみ補償を效果的に行うことができる。
【図面の簡単な説明】
【００２９】
【図１】従来の劣化補償モジュールの構成を図示した図面。
【図２】映像データを補償する前の画素の輝度、映像データを補償するための補償データ、及び映像データを補償した後の画素の輝度を図示したグラフ。
【図３】本発明の一実施形態によるディスプレイ装置の構成を概略的に図示した図面。
【図４】本発明の一実施形態によるディスプレイ装置の画素及びデータ駆動部の構造を図示した図面。
【図５】本発明の一実施形態によるタイミング制御部の構成とタイミング制御部の構成要素の間のデータの流れを図示した図面。
【図６】本発明の一実施形態による画素補償モジュールの構成と画素補償モジュールの構成要素の間のデータの流れを図示した図面。
【図７】相違する劣化形態を有する画素区間の輝度と劣化データを図示したグラフ。
【図８】一実施形態による劣化領域検出部の劣化領域検出を説明するための図面。
【図９】一実施形態による劣化領域検出部から検出された劣化領域を図示した図面。
【図１０】劣化領域及び劣化隣接領域による輝度、補償データ及び補償ゲインを図示した図面。
【図１１】本発明の一実施形態による画素補償方法の手順を図示したフローチャート。
【発明を実施するための形態】
【００３０】
前述した目的、特徴及び長所は、添付の図面を参照して詳しく後述し、これによって本発明が属する技術分野において通常の知識を有する者が本発明の技術的思想を容易に実施することができる。本発明を説明するにあたり、本発明と係る公知技術に対する具体的説明が本発明の要旨を不必要に曖昧にすることができると判断される場合は、詳細な説明を省略する。以下、添付の図面を参照して本発明による好ましい実施形態を詳しく説明する。図面において同一な参照符号は、同一または類似の構成要素を示すものと使用される。
【００３１】
図３は本発明の一実施形態によるディスプレイ装置１０００の構成を概略的に図示した図面である。図３を参照すれば、本発明の一実施形態によるディスプレイ装置１０００は、ディスプレイパネル１００、データ駆動部２００、ゲート駆動部３００、タイミング制御部４００及び画素補償モジュール５００を含んで構成されることができる。
【００３２】
ディスプレイパネル１００は、有機発光ダイオード（ＯＬＥＤ）で構成される画素（Ｐ）を含み、少なくとも３つの画素（Ｐ）で形成される単位画素（Ｐ’）のそれぞれには、一つの基準電圧ライン（ＲＬ）が形成されてデータ駆動部２００と連結される。
【００３３】
また、ディスプレイパネル１００には、画素（Ｐ）が形成される画素領域を定義し、画素（Ｐ）の駆動を制御する信号ラインが形成されている。
【００３４】
このような信号ラインは、第１ないし第g（但し、gは自然数）ゲートライン（ＧＬ１ないしＧＬg）、第１ないし第gセンシングライン（ＳＬ１ないしＳＬg）、第１ないし第d（但し、dはgより大きい自然数）データライン（ＤＬ１ないしＤＬd）、第１ないし第ｄ／４基準電圧ライン（ＲＬ１ないしＲＬ（ｄ／４））、複数の高電位駆動電圧ライン（ＨＰＬ１ないしＨＰＬd）、及び少なくとも一つの低電位駆動電圧ライン（ＬＰＬ１ないしＬＰＬd）を含んでなることができる。
【００３５】
画素（Ｐ）は３つまたは４つで構成される一つの単位画素（Ｐ’）を形成している。より具体的に、４つの画素（Ｐ）（赤色画素（Ｒ）、白色画素（Ｗ）、緑画素（Ｇ）及び青色画素（Ｂ））が一つの単位画素（Ｐ’）を形成し、単位画素（Ｐ’）には一つの基準電圧ライン（ＲＬ）が形成されている。
【００３６】
データ駆動部２００は、画素（Ｐ）からセンシングされたセンシングデータ（Ｓｄａｔａ）をタイミング制御部４００に送信し、データ制御信号（ＤＣＳ）によってタイミング制御部４００から受信された補償された入力映像データ（ＤＡＴＡ’）を画素（Ｐ）に伝達する。
【００３７】
ゲート駆動部３００は、タイミング制御部４００からゲート制御信号（ＧＣＳ）を受信して画素（Ｐ）に含まれたトランジスターのスイッチングを制御する。
【００３８】
タイミング制御部４００は、入力映像（ＲＧＢ）を入力映像データ（ＤＡＴＡ）に変換し、画素補償モジュール５００から補正された最終補償データ（Ｃｄａｔａ'）を受信して、入力映像データ（ＤＡＴＡ）を補償された入力映像データ（ＤＡＴＡ’）で補償する。
【００３９】
また、タイミング制御部４００は、センシングデータ（Ｓｄａｔａ）を受信して劣化データ（Ｄｄａｔａ）で保管し、劣化データ（Ｄｄａｔａ）を画素補償モジュール５００に送信する。
【００４０】
画素補償モジュール５００は、タイミング制御部４００から受信された補償データ（Ｃｄａｔａ）を補正された最終補償データ（Ｃｄａｔａ'）に補正し、タイミング制御部４００に送信する。最終補償データ（Ｃｄａｔａ'）を補正するために、画素補償モジュール５００は劣化データ（Ｄｄａｔａ）に基づいてディスプレイパネル１００上の劣化領域及び劣化隣接領域を検出する。その後、画素補償モジュール５００は、劣化領域に対する補償データ及び劣化隣接領域に対する補償データをそれぞれ異なるように補正する。
【００４１】
本発明の一実施形態において、画素補償モジュール５００は入力映像データ（ＤＡＴＡ）の入力を受けて映像特性定数を生成する。画素補償モジュール５００は、生成された映像特性定数に基づき、劣化領域に含まれる画素の最終補償データ（Ｃｄａｔａ'）の最小値または劣化隣接領域に含まれる画素の最終補償データ（Ｃｄａｔａ'）の最大値を決定する。
【００４２】
前述された画素補償モジュール５００が劣化領域及び劣化隣接領域を検出して補償データを補正する内容は、図７を通じて具体的に説明する。
【００４３】
以下では、図４を参照して画素（Ｐ）の構造及び動作について説明する。
【００４４】
図４は本発明の一実施形態によるディスプレイ装置１０００の画素（Ｐ）及びデータ駆動部２００の構造を図示した図面である。
【００４５】
図４を参照すれば、画素（Ｐ）は画素駆動回路（ＰＤＣ）及び有機発光ダイオード（ＯＬＥＤ）を含んで構成されることができる。
【００４６】
画素駆動回路（ＰＤＣ）は、スキャントランジスター（Ｔｓｃ）、センシングトランジスター（Ｔｓｓ）、駆動トランジスター（Ｔｄｒ）及びストレージキャパシター（Ｃｓｔ）を含む。
【００４７】
画素（Ｐ）は信号ラインで入力されるトランジスター（Ｔｓｃ、Ｔｓｓ、Ｔｄｒ）の制御信号によって、データ電圧（Ｖｄａｔａ）に対応して光を放出する駆動モードと駆動トランジスター（Ｔｄｒ）の電気的特性（しきい値電圧及び電子移動度）をセンシングするセンシングモードのいずれか一つのモードで駆動されることができる。
【００４８】
まず、画素（Ｐ）の駆動モードについて説明する。
【００４９】
データ駆動部２００は、駆動モード時にタイミング制御部４００から供給される駆動モードのデータ制御信号（ＤＣＳ）によって入力を受け、補償されたデジタルデータ（ＤＡＴＡ’）をデータ電圧（Ｖｄａｔａ）に変換して該当データライン（ＤＬ）に供給する。
【００５０】
このために、データ駆動部２００はデジタル−アナログコンバーター（ＤＡＣ）を利用してタイミング制御部４００から入力を受けた補償されたデジタルデータ（ＤＡＴＡ’）をデータ電圧（Ｖｄａｔａ）に変換する。
【００５１】
スキャントランジスター（Ｔｓｃ）は、第１スキャンパルス（ＳＰ１）によってターンオンされ、データライン（ＤＬ）に供給されるデータ電圧（Ｖｄａｔａ）を出力する。
【００５２】
センシングトランジスター（Ｔｓｓ）は第２スキャンパルス（ＳＰ２）によってターンオンされて基準電圧ライン（ＲＬ）に供給される基準電圧（Ｖｒｅｆ）を駆動トランジスター（Ｔｄｒ）のソース端子である第２ノード（n２）に供給する。
【００５３】
ストレージキャパシター（Ｃｓｔ）は、スキャントランジスター（Ｔｓｃ）及びセンシングトランジスター（Ｔｓｓ）それぞれのスイッチングによって第１ノード（n１）及び第２ノード（n２）それぞれに供給される電圧の差電圧が充電する。
【００５４】
以後、ストレージキャパシター（Ｃｓｔ）に充電された電圧によって駆動トランジスター（Ｔｄｒ）がターンオンされ、スキャントランジスター（Ｔｓｃ）及びセンシングトランジスター（Ｔｓｓ）はそれぞれ第１スキャンパルス（ＳＰ１）及び第２スキャンパルス（ＳＰ２）によってターンオフされる。
【００５５】
駆動トランジスター（Ｔｄｒ）は、ストレージキャパシター（Ｃｓｔ）の電圧によってターンオンされることで、有機発光ダイオード（ＯＬＥＤ）に駆動電流（Ｉｏｌｅｄ）を供給する。
【００５６】
有機発光ダイオード（ＯＬＥＤ）は、駆動トランジスター（Ｔｄｒ）から供給される駆動電流（Ｉｏｌｅｄ）によって発光して駆動電流（Ｉｏｌｅｄ）に対応する輝度を有する単色光を放出する。
【００５７】
次に、画素（Ｐ）のセンシングモードについて説明する。
【００５８】
センシングモードでは、スキャントランジスター（Ｔｓｃ）が第１スキャンパルス（ＳＰ１）によってターンオフされる。これによって、駆動トランジスター（Ｔｄｒ）のゲート端子にはデータ電圧（Ｖｄａｔａ）が供給されない。
【００５９】
センシングトランジスター（Ｔｓｓ）は、第２スキャンパルス（ＳＰ２）によってターンオンされ、基準電圧ライン（ＲＬ）にセンシング電圧（Ｖｓｅｎ）をデータ駆動部２００に供給する。
【００６０】
以降、センシング電圧（Ｖｓｅｎ）はデータ駆動部２００を通じてセンシングデータ（Ｓｄａｔａ）に変換されてタイミング制御部４００に送信される。
【００６１】
センシング回路（ＳＣ）はデータ制御信号（ＤＣＳ）を基盤として、オンまたはオフ状態に制御され、基準電圧（Ｖｒｅｆ）をセンシングトランジスター（Ｔｓｓ）のソース端子に供給するフリーチャージングスイッチ（ＳＷ１）とセンシングライン（ＳＬ）及びアナログ−デジタルコンバーター（ＡＤＣ）の間に連結を通電または遮断するサンプリングスイッチ（ＳＷ２）を含むことができる。
【００６２】
また、データ駆動部２００は、センシングモードの時、サンプリングスイッチ（ＳＷ２）をオン状態と制御して、第１ないし第ｄ／４センシングライン（ＳＬ１ないしＳＬ（ｄ／４））から送信されてきたセンシング電圧（Ｖｓｅｎ）をアナログ−デジタルコンバーター（ＡＤＣ）で入力させ、デジタルに変換してセンシングデータ（Ｓｄａｔａ）で生成することができる。
【００６３】
以下では、図５を参照して図２のタイミング制御部４００の具体的構成及び機能について具体的に説明する。
【００６４】
図５は本発明の一実施形態によるタイミング制御部４００の構成とタイミング制御部４００の構成要素の間のデータの流れを図示した図面である。
【００６５】
図５を参照すれば、タイミング制御部４００は信号制御部４１０、データ変換部４２０、データ補償部４３０、劣化データ保管部４４０、及び補償データ生成部４５０を含む。
【００６６】
信号制御部４１０は外部から入力される同期信号（ＳＹＮＣ）を利用して多数の制御信号（ＧＣＳ、ＤＣＳ）を出力する。ここで、多数の制御信号（ＧＣＳ、ＤＣＳ）は、ゲート制御信号（ＧＣＳ）及びデータ制御信号（ＤＣＳ）を含む。データ制御信号（ＤＣＳ）はデータ駆動部２００を制御するための信号で、ゲート制御信号（ＧＣＳ）はゲート駆動部３００を制御するための信号である。同期信号（ＳＹＮＣ）はドットクロック（ＤＣＬＫ）、データイネーブル信号（ＤＥ）、水平同期信号（Ｈｓｙｎｃ）及び垂直同期信号（Ｖｓｙｎｃ）のいずれか一つ以上を含む。
【００６７】
データ変換部４２０は、外部から入力を受けた映像信号（ＲＧＢ）をデータ駆動部２００に入力するための入力映像データ（ＤＡＴＡ）に変換する。データ補償部４３０は、後述する補償データ生成部４５０から生成され、画素補償モジュール５００を通じて補正された最終補償データ（Ｃｄａｔａ'）を入力映像データ（ＤＡＴＡ）に加えて補償された入力映像データ（ＤＡＴＡ’）で補償する。
【００６８】
劣化データ保管部４４０は、センシングモードで画素（Ｐ）ごとにセンシングされたセンシングデータ（Ｓｄａｔａ）を劣化データ（Ｄｄａｔａ）に保管する。
【００６９】
また、劣化データ保管部４４０は、データ駆動部２００に入力される補償された入力映像データ（ＤＡＴＡ’）をフレームごとに累積した画素別累積データ量を保管することができる。
【００７０】
補償データ生成部４５０は、劣化データ（Ｄｄａｔａ）に保管されたデータがセンシングデータ（Ｓｄａｔａ）であれば、基準センシングデータとセンシングデータ（Ｓｄａｔａ）の間の差による輝度曲線から輝度補償値を決定し、補償データ（Ｃｄａｔａ）を生成する。
【００７１】
補償データ生成部４５０は、劣化データ（Ｄｄａｔａ）に保管されたデータが画素別累積データ量であれば、予め保管された画素別累積データ量による輝度数値に対するルックアップテーブルから輝度補償値を決定し、補償データ（Ｃｄａｔａ）を生成する。
【００７２】
一方、本発明による補償データ生成部４５０は、劣化データ（Ｄｄａｔａ）がセンシングデータ（Ｓｄａｔａ）または画素別累積データ量の場合に対してのみ補償データ（Ｃｄａｔａ）を生成すると説明したが、センシングデータ（Ｓｄａｔａ）及び画素別累積データ量以外、画素の劣化の度合を示す数値であれば、劣化データ（Ｄｄａｔａ）の種類は限定されない。
【００７３】
以下では、図６を参照して、本発明の一実施形態による画素補償モジュール５００について具体的に説明する。
【００７４】
図６は本発明の一実施形態による画素補償モジュール５００の構成と画素補償モジュール５００の構成要素の間のデータの流れを図示した図面である。
【００７５】
図６を参照すれば、本発明の一実施形態による画素補償モジュール５００は、劣化領域検出部５１０、映像特性定数生成部５２０、補償ゲイン決定部５３０及び補償データ補正部５４０を含んで構成されることができる。
【００７６】
劣化領域検出部５１０は、タイミング制御部４００から受信された画素別劣化データ（Ｄｄａｔａ）に基づいて、ディスプレイパネル１００の劣化マップ（ＭＡＰ）を生成する。ここで、劣化マップはディスプレイパネル１００に含まれた各画素別座標と劣化データ（Ｄｄａｔａ）をマッピングした数値マップでありえる。
【００７７】
劣化領域検出部５１０は、ディスプレイパネルに含まれたそれぞれの画素に対応する劣化データ（Ｄｄａｔａ）を参照して劣化領域を検出する。
【００７８】
ここで、劣化領域は隣接した画素間の輝度変化が急激に変化する画素を含む領域でありえる。
【００７９】
図７を参照して、本発明の劣化領域検出部５１０が検出する劣化領域の意味について説明する。
【００８０】
図７は相異なる劣化形態を有する画素区間の輝度と劣化データを図示したグラフである。
【００８１】
図７を参照すれば、ＡＲ１領域の画素区間とＡＲ２領域の画素区間は、いずれも最大輝度がＬ４、最小輝度がＬ３として最大輝度と最小輝度の輝度が同一である。しかし、ＡＲ１領域の両端では輝度が急激に変わることに対し、ＡＲ２領域の両端では輝度が緩やかに増加したり緩やかに減少する。
【００８２】
使用者は最大輝度と最小輝度が同一であるＡＲ１領域及びＡＲ２領域の中で、両端で輝度が急激に変わるＡＲ１領域の画素区間に対してのみ残像として認知する。すなわち、隣接した画素間の輝度の偏差が大きいほど、該当領域は使用者により残像として認知されやすい。言い換えれば、特定画素区間の最大輝度と最小輝度間の輝度差が大きくても、輝度の変化が緩ければ使用者が残像として認知しにくい。
【００８３】
このような画素の輝度変化は、画素の劣化データに比例する。
【００８４】
ここで、劣化データは前述したように、画素の劣化度合いを示す数値で、画素別にセンシングされたセンシングデータであるか、または画素別累積データ量でありえる。
【００８５】
したがって、図７に図示された画素の劣化データから隣接した画素間の劣化データ差を算出すれば、使用者に残像として認知されやすい画素区間を把握することができる。
【００８６】
これによって、本発明による劣化領域検出部５１０は、ディスプレイパネルに含まれたそれぞれの画素に対応する劣化データを参照して劣化領域を検出する。
【００８７】
また、図６に戻って、劣化領域検出部５１０について具体的に説明する。
【００８８】
一実施形態による劣化領域検出部５１０は、劣化データ（Ｄｄａｔａ）を参照してそれぞれの画素が劣化画素であるか否かを決定する。
【００８９】
このために、劣化領域検出部５１０は、予め設定された検出領域に含まれた画素の劣化データ（Ｄｄａｔａ）に検出マスクを適用する。そして、検出マスクが適用された劣化データ（Ｄｄａｔａ）から劣化偏差値を算出し、算出された劣化偏差値に基づいて劣化領域を検出する。
【００９０】
ここで、検出マスクは劣化マップ上に位置する任意の行列形態の構造体でありえる。例えば、検出マスクは３×３、５×５、７×７のような正方行列の形態であることができるが、形態は限定されない。検出マスクの種類は、プリューウィット（ｐｒｅｗｉｔｔ）マスク、ゾーベル（ｓｏｂｅｌ）マスク、ロバーツ（ｒｏｂｅｒｔｓ）マスク、及びラプラシアン（ｌａｐｌａｃｉａｎ）マスクのいずれか一つであることができるが、種類は限定されない。
【００９１】
劣化領域検出部５１０は、劣化マップ上に検出マスクを位置させ、検出マスクの各演算子と、各演算子の位置と対応する劣化マップ上の劣化データ（Ｄｄａｔａ）を演算して劣化偏差値を算出する。劣化領域検出部５１０は、劣化偏差値が劣化偏差基準値以上であれば、検出マスクの中心に位置する画素を劣化画素として決定する。ここで、予め設定された劣化偏差基準値は、検出マスクの中心に位置する画素と検出マスクの中心に位置する画素と隣接する画素の劣化データ間の差が使用者に残像として認知されるほどの差であるか否かを判断する際に基準となる数値でありえる。
【００９２】
劣化領域検出部５１０は、検出マスクを行方向及び列方向に移動させながらディスプレイパネル１００上のすべての画素に対して劣化画素の可否を決定する。
【００９３】
劣化領域検出部５１０は、劣化画素として決定された画素が隣接する場合、隣接した劣化画素が予め設定された劣化領域基準値以上であれば、隣接した劣化画素を劣化領域として決定する。
【００９４】
図８は一実施形態による劣化領域検出部５１０の劣化領域検出を説明するための図面である。
【００９５】
図８を参照すれば、劣化領域検出部５１０は検出マスクでＸ軸ゾーベルマスク及びＹ軸ゾーベルマスクを利用し、劣化偏差基準値と劣化領域基準値をそれぞれ２０及び１０に設定して劣化領域を検出する場合、下記の数式１を利用して劣化偏差値を算出することができる。
【数１】
0006517183.tif 000002
【００９６】
ここで、Ｉ（ｉ、ｊ）は、画素の劣化データ、Ｓｏｂｅｌ_ｈ（ｉ、ｊ）はＸ軸ゾーベルマスクの演算子、ＥｈはＸ軸ゾーベルマスクの演算値、Ｓｏｂｅｌ_ｖ（ｉ、ｊ）はＹ軸ゾーベルマスクの演算子、ＥｖはＹ軸ゾーベルマスクの演算値、ＴＰはゾーベルマスクの画素数、及びＳＩはゾーベルマスクの中心に位置する画素の劣化偏差値である。
【００９７】
劣化領域検出部５１０が（２、２）に位置する画素の劣化データにゾーベルマスクを適用して劣化偏差値を算出すれば、Ｘ軸ゾーベルマスクの演算子（１、０、-１）、（１、０、-１）、（１、０、-１）とＸ軸ゾーベルマスクの位置と対応する画素の劣化データ（１０、１０、１０）、（１０、１０、１０）、（１０、１０、１０）をそれぞれかけて合算することで、Ｘ軸ゾーベルマスクの演算値を０に算出する。
【００９８】
次いで、劣化領域検出部５１０はＹ軸ゾーベルマスクの演算子（１、１、１）、（０、０、０）、（-１、-１、-１）とＹ軸ゾーベルマスクの位置と対応する画素の劣化データ（１０、１０、１０）、（１０、１０、１０）、（１０、１０、１０）をそれぞれかけて合算することで、Ｙ軸ゾーベルマスクの演算値を０に算出する。
【００９９】
劣化領域検出部５１０は、Ｘ軸ゾーベルマスクの演算値の絶対値とＹ軸ゾーベルマスクの演算値の絶対値の合計に、ゾーベルマスクの画素数９を分けて（２、２）に位置する画素の劣化偏差値を０に算出する。
【０１００】
劣化領域検出部５１０は、（２、２）に位置する画素の劣化偏差値０が劣化偏差基準値である２０以上ではないので、（２、２）に位置する画素を劣化画素として決定しない。
【０１０１】
その後、劣化領域検出部５１０はＸ軸ゾーベルマスク及びＹ軸ゾーベルマスクを利用して、（２、２）に位置する画素の劣化画素の可否を決定し、Ｘ軸ゾーベルマスク及びＹ軸ゾーベルマスクをＸ軸及びＹ軸に移動させ、すべての画素に対して劣化画素の可否を決定する。
【０１０２】
図９は一実施形態による劣化領域検出部５１０から検出された劣化領域を図示した図面である。
【０１０３】
図９を参照すれば、劣化領域検出部５１０は、図８のように劣化画素であるか否かを決定する過程をすべての画素に対して行い、（３、３ないし７）、（４、３ないし７）、（５、３）、（５、４）、（５、６）、（５、７）、（６、３ないし７）、（７、３ないし７）に位置する画素を劣化画素として検出する。
【０１０４】
以降、劣化領域検出部５１０は、隣接した劣化画素の個数２４が予め設定された劣化領域基準値１０を超過するので、隣接した劣化画素を劣化領域（ＡＲ１）として決定する。
【０１０５】
この時、劣化領域検出部５１０は、（５、５）に位置する画素のように劣化画素ではない画素が劣化画素で囲まれると、該画素もまた劣化領域（ＡＲ１）に含まれるものと決定することもできる。
【０１０６】
これに対し、従来の劣化領域検出方法は、特定文字、数字及び記号のようなロゴを長時間出力するものと推測される任意の領域を劣化領域として検出することで、画素の実際の劣化度を反映できなかった劣化領域が検出される。
【０１０７】
しかし、本発明の一実施形態による劣化領域検出部５１０は、ディスプレイパネル（１１０）に含まれたすべての画素それぞれの劣化データを参照して劣化領域を検出することで、各画素の劣化度が正確に反映された劣化領域を検出することができる。
【０１０８】
図７を参照すれば、映像特性定数生成部５２０はディスプレイパネル１００に表示される映像の特性を表す映像特性定数を入力映像データ（ＤＡＴＡ）から生成する。より具体的に、映像特性定数生成部５２０は、入力映像データ（ＤＡＴＡ）を分析して映像特性定数を生成する。
【０１０９】
ここで、映像特性定数はグローバルモーション定数（ｆ１）、ローカルモーション定数（ｆ２）、ローカル平均画素レベル定数（ｆ３）、ローカル彩度定数（ｆ４）及びローカルエッジ定数（ｆ５）を一つ以上を含む。
【０１１０】
本実施形態において、グローバルモーション定数（ｆ１）は、映像を撮影する過程でカメラの動きによって映像に発生する動きに対する定数である。ローカルモーション定数（ｆ２）は、映像内の物体の動きによって映像に発生する動きに対する定数である。ローカル平均画素レベル定数（ｆ３）は、映像の一部領域を対象にして獲得される平均明るさに対する定数である。ローカル彩度定数（ｆ４）は、映像の一部領域を対象にして獲得される彩度に対する定数である。最後に、ローカルエッジ定数（ｆ５）は、映像の縁領域の解像度から獲得される鮮明度に対する定数である。
【０１１１】
前述された映像特性定数は、補償データ補正部５４０が補償データの補正可否を決定する際に使用される定数である。これに対する具体的な説明は、後述して説明する。
【０１１２】
以下では、前述のような方法を利用して劣化領域が設定されたとき、本発明による画素補償モジュール５００が補償データを補正する過程について図７及び図１０を参照して具体的に説明する。
【０１１３】
図１０は劣化領域（ＡＲ１）及び劣化隣接領域（ＡＲ２）による輝度、補償データ及び補償ゲインを図示した図面である。
【０１１４】
図１０を参照すれば、本発明の一実施形態による画素補償モジュール５００は、劣化領域（ＡＲ１）の最も外側の画素から予め設定された第１距離（Ｒ１）内の領域を劣化隣接領域（ＡＲ２）として設定する。
【０１１５】
また、画素補償モジュール５００は、劣化領域（ＡＲ１）の最も外側の画素から予め設定された第２距離（Ｒ２）内の領域を第１劣化隣接領域（ＡＲ２-１）として設定する。
【０１１６】
画素補償モジュール５００は、第１劣化隣接領域（ＡＲ２-１）の最も外側の画素と前記劣化隣接領域（ＡＲ１）の最も外側の画素の間の領域を第２劣化隣接領域（ＡＲ２-２）として設定する。
【０１１７】
すなわち、劣化領域検出部５１０によって劣化領域（ＡＲ１）が検出されれば、予め設定された第２距離（Ｒ１）の幅で劣化領域（ＡＲ１）の周辺を囲む第１劣化隣接領域（ＡＲ２-１）が設定され、予め設定された第１距離（Ｒ１）と予め設定された第２距離（Ｒ２）の距離差を幅とする第２劣化隣接領域（ＡＲ２-２）が第１劣化隣接領域（ＡＲ２-１）を囲むように設定される。
【０１１８】
補償ゲイン決定部５３０は、劣化領域（ＡＲ１）に含まれた画素の補償データ（Ｃｄａｔａ）を補正するための第１補償ゲイン（Ｇ１）及び劣化隣接領域（ＡＲ２）に含まれた画素の補償データ（Ｃｄａｔａ）を補正するための第２補償ゲイン（Ｇ２）を決定する。
【０１１９】
より具体的に、補償ゲイン決定部５３０は、劣化領域（ＡＲ１）の最も外側の画素から劣化領域（ＡＲ１）の中心画素（ＣＰ）へ移動するほど、劣化領域（ＡＲ１）に含まれた画素の最終補償データ（Ｃｄａｔａ'）の大きさが減少されるように第１補償ゲイン（Ｇ１）を決定する。
【０１２０】
すなわち、補償ゲイン決定部５３０は、劣化領域（ＡＲ１）の最も外側の画素の最終補償データ（Ｃｄａｔａ'）の大きさが劣化領域（ＡＲ１）に含まれた画素の最終補償データ（Ｃｄａｔａ'）の大きさの中で最大値になるように第１補償ゲイン（Ｇ１）を決定する。
【０１２１】
また、補償ゲイン決定部５３０は、劣化領域（ＡＲ１）の中心画素（ＣＰ）の最終補償データ（Ｃｄａｔａ'）の大きさが劣化領域（ＡＲ１）に含まれた画素の最終補償データ（Ｃｄａｔａ'）の大きさの中で最小値になるように第１補償ゲイン（Ｇ１）を決定する。
【０１２２】
一方、補償ゲイン決定部５３０は、劣化領域（ＡＲ１）の最も外側の画素から第１劣化隣接領域（ＡＲ２-１）の最も外側の画素に移動するほど、第１劣化隣接領域（ＡＲ２-１）に含まれた画素の最終補償データ（Ｃｄａｔａ'）の大きさが増加されるように第２補償ゲイン（Ｇ２）を決定する。
【０１２３】
また、補償ゲイン決定部５３０は、第１劣化隣接領域（ＡＲ２-１）の最も外側の画素から第２劣化隣接領域（ＡＲ２-２）の最も外側の画素に移動するほど、第２劣化隣接領域（ＡＲ２-２）に含まれた画素の最終補償データ（Ｃｄａｔａ'）の大きさが減少されるように第２補償ゲイン（Ｇ２）を決定する。
【０１２４】
参照として、本発明において劣化領域（ＡＲ１）に含まれる画素の最終補償データ（Ｃｄａｔａ'）の最小値、及び劣化隣接領域（ＡＲ２）に含まれる画素の最終補償データ（Ｃｄａｔａ'）の最大値は、補償ゲイン決定部５３０によって予め設定されることができる。本発明の一実施形態において、補償ゲイン決定部５３０は映像特性定数の変化量に基づいて劣化領域（ＡＲ１）に含まれる画素の最終補償データ（Ｃｄａｔａ'）の最小値または劣化隣接領域（ＡＲ２）に含まれる画素の最終補償データ（Ｃｄａｔａ'）の最大値を調整する。
【０１２５】
例えば、補償ゲイン決定部５３０は、映像特性定数に含まれたグローバルモーション定数（ｆ１）、ローカルモーション定数（ｆ２）、ローカル平均画素レベル定数（ｆ３）、ローカル彩度定数（ｆ４）及びローカルエッジ定数（ｆ５）のいずれか一つ以上の変化量に比例して隣接領域（ＡＲ１）に含まれる画素の最終補償データ（Ｃｄａｔａ'）の最小値、または劣化隣接領域（ＡＲ２）に含まれる画素の最終補償データ（Ｃｄａｔａ'）の最大値を調整する。
【０１２６】
例えば、補償ゲイン決定部５３０は、ローカル彩度定数（ｆ４）が増加すれば、それによって隣接領域（ＡＲ１）に含まれる画素の最終補償データ（Ｃｄａｔａ'）の最小値、または劣化隣接領域（ＡＲ２）に含まれる画素の最終補償データ（Ｃｄａｔａ'）の最大値を増加させることができる。また、他の例として、補償ゲイン決定部５３０は、ローカル平均画素レベル定数（ｆ３）とローカル彩度定数（ｆ４）を足した値またはかけた値が増加すれば、それによって隣接領域（ＡＲ１）に含まれる画素の最終補償データ（Ｃｄａｔａ'）の最小値、または劣化隣接領域（ＡＲ２）に含まれる画素の最終補償データ（Ｃｄａｔａ'）の最大値を増加させることができる。
【０１２７】
ここで、グローバルモーション定数（ｆ１）、ローカルモーション定数（ｆ２）、ローカル平均画素レベル定数（ｆ３）、ローカル彩度定数（ｆ４）及びローカルエッジ定数（ｆ５）は、大きさが増加するほど補償データの増加によって画素の輝度及び映像の彩度のいずれか一つ以上の変化幅が増加しても使用者の認知性が低くなる。
【０１２８】
例えば、グローバルモーション定数（ｆ１）が高いほど、該当映像は動きが多い映像であるため、補償データを増加させて画素の輝度及び映像の彩度のいずれか一つ以上が増加しても、使用者が画素の輝度及び映像の彩度のいずれか一つ以上が増加されることを認知できなくなる可能性もある。
【０１２９】
したがって、補償ゲイン決定部５３０は、グローバルモーション定数（ｆ１）、ローカルモーション定数（ｆ２）、ローカル平均画素レベル定数（ｆ３）、ローカル彩度定数（ｆ４）及びローカルエッジ定数（ｆ５）の大きさが増加するほど、隣接領域（ＡＲ１）に含まれる画素の最終補償データ（Ｃｄａｔａ'）の最小値、または劣化隣接領域（ＡＲ２）に含まれる画素の最終補償データ（Ｃｄａｔａ'）の最大値が増加するように調整する。
【０１３０】
図１０に図示された補償の前の領域別輝度と補償後の領域別輝度を比べると、劣化領域（ＡＲ１）に含まれた画素の補償前の輝度は、劣化領域（ＡＲ１）と第１劣化隣接領域（ＡＲ２-１）の間の境界で急激に減少及び増加する。しかし、劣化領域（ＡＲ１）に含まれた画素の補償後の輝度は、劣化領域（ＡＲ１）と第１劣化隣接領域（ＡＲ２-１）の間の境界で緩やかに減少する。また、劣化領域（ＡＲ１）内でも従来のように一定した大きさの補償が適用されることではなく、中心画素（ＣＰ）に向けるほど補償データの大きさが小さくなる。
【０１３１】
また、劣化隣接領域（ＡＲ２）に含まれた画素の補償後の輝度は、劣化領域（ＡＲ１）の最も外側の画素から第１劣化隣接領域（ＡＲ２-１）の最も外側の画素に移動するほど、最大値に向けて緩やかに増加し、第１劣化隣接領域（ＡＲ２-１）の最も外側の画素から第２劣化隣接領域（ＡＲ２-２）の最も外側の画素に移動するほど緩やかに減少する。
【０１３２】
結局、このような補償が行われると、劣化領域（ＡＲ１）の境界が補償前に比べて曖昧になるので、使用者が劣化領域（ＡＲ１）を実際パネルの劣化によって認知し難くなる。また、従来に比べて劣化領域（ＡＲ１）に適用される補償データの大きさが小さくなるので、劣化領域（ＡＲ１）の劣化速度を遅延させることができるという長所がある。
【０１３３】
一方、本発明の他の実施形態による補償ゲイン決定部５３０は、劣化領域（ＡＲ１）に含まれた画素の劣化データ（Ｄｄａｔａ）が予め設定された補償基準値以上であれば、劣化領域（ＡＲ１）に含まれた画素の第１補償ゲイン（Ｇ１）を０に決定する。
【０１３４】
言い換えれば、本発明の他の実施形態では、劣化領域（ＡＲ１）に含まれた画素の劣化度合いが予め設定された補償基準値による劣化度合いに及ばない場合、劣化領域（ＡＲ１）に対する補償を適用せずに、劣化隣接領域（ＡＲ２）に対する補償のみを行うことができる。
【０１３５】
従来の技術によると、劣化領域（ＡＲ１）に含まれた画素の劣化度合いが予め設定された補償基準値による劣化度合いに及ばなくても、劣化領域（ＡＲ１）に対する補償が行われなければ、劣化領域（ＡＲ１）が使用者にパネルの劣化領域として認知されることができる。しかし、本発明によれば、従来に行われなかった劣化隣接領域（ＡＲ２）に対する補償が行われることで、劣化領域（ＡＲ１）に対して補償されなくても、使用者が劣化領域（ＡＲ１）をパネルの劣化領域として認知し難くなる。
【０１３６】
また、図７及び図１０を参照すれば、補償データ補償部５４０は第１補償ゲイン（Ｇ１）及び第２補償ゲイン（Ｇ２）を利用して劣化領域（ＡＲ１）に含まれた画素の補償データ（Ｃｄａｔａ）及び劣化隣接領域（ＡＲ２）に含まれた画素の補償データ（Ｃｄａｔａ）を補正する。
【０１３７】
補償データ補償部５４０は、補償データ（Ｃｄａｔａ）の補正を行う前に、入力映像データから生成された映像特性定数に基づき、劣化領域（ＡＲ１）に含まれた画素の補償データ（Ｃｄａｔａ）、または劣化隣接領域（ＡＲ２）に含まれた画素の補償データ（Ｃｄａｔａ）に対する補正可否を決定する。
【０１３８】
すなわち、補償データ補償部５４０は、入力映像データが補償を行うことに適しているか否かを映像特性定数に基づいて判断する。このとき、映像特性定数は、前述したように、グローバルモーション定数（ｆ１）、ローカルモーション定数（ｆ２）、ローカル平均画素レベル定数（ｆ３）、ローカル彩度定数（ｆ４）及びローカルエッジ定数（ｆ５）のいずれか一つ以上を含む。
【０１３９】
例えば、補償データ補償部５４０は、グローバルモーション定数（ｆ１）、ローカルモーション定数（ｆ２）、ローカル平均画素レベル定数（ｆ３）、ローカル彩度定数（ｆ４）及びローカルエッジ定数（ｆ５）をすべてかけて、かけた結果値を予め設定された補償判断基準値と比べる。
【０１４０】
補償データ補償部５４０は、判断した結果、かけた結果値が予め設定された補償判断基準値を超過すれば、劣化領域（ＡＲ１）に含まれた画素の補償データ（Ｃｄａｔａ）と劣化隣接領域（ＡＲ２）に含まれた画素の補償データ（Ｃｄａｔａ）を補正するものと決定する。
【０１４１】
逆に、補償データ補償部５４０は、判断した結果、かけた結果値が予め設定された補償判断基準値以下であれば、劣化領域（ＡＲ１）に含まれた画素の補償データ（Ｃｄａｔａ）と劣化隣接領域（ＡＲ２）に含まれた画素の補償データ（Ｃｄａｔａ）を補正しないものと決定する。
【０１４２】
これにより、補償データ補償部５４０は画素の輝度及び彩度が変更されても使用者が認知し難い映像特性を有する映像に対してのみ補償データの補正を行うことで、映像特性に対応して補償データの補正を效率的に行うことができる。
【０１４３】
図１１は本発明の一実施形態による画素補償方法の手順を図示したフローチャートである。
【０１４４】
図１１を参照すれば、入力映像データが補償を行うことに適するか否かを映像特性定数に基づいて補償データに対する補正可否を判断する（Ｓ１）。Ｓ１段階において、入力映像データが補償を行うことに適していないため、補償データを補正しないと判断されれば、周期的に映像特性定数に基づいて補償データに対する補正可否を判断する。
【０１４５】
Ｓ１段階において、入力映像データが補償を行うことに適するため、補償データを補正すると判断されれば、ディスプレイパネルに含まれたそれぞれの画素に対応する劣化データを参照して劣化領域を検出する（Ｓ２）。
【０１４６】
Ｓ２段階をより具体的に説明すれば、劣化データを参照してそれぞれの画素が劣化画素であるか否かを決定し、隣接した劣化画素の個数が予め設定された劣化領域基準値の以上であれば、隣接した劣化画素を含む領域を劣化領域として決定する。
【０１４７】
次に、劣化領域に含まれた画素の補償データを補正するための第１補償ゲインと、劣化隣接領域に含まれた画素の補償データを補正するための第２補償ゲインを決定する（Ｓ３）。
【０１４８】
Ｓ３段階をより具体的に説明すれば、劣化領域の最も外側の画素から劣化領域の中心画素に移動するほど、劣化領域に含まれた画素の最終補償データの大きさが減少されるように第１補償ゲインを決定する。
【０１４９】
これによって、劣化領域に含まれた画素の最終補償データの大きさの中で、劣化領域の最も外側の画素の最終補償データの大きさが最大値でありえる。
【０１５０】
また、劣化領域に含まれた画素の最終補償データの大きさの中で、劣化領域の中心画素の最終補償データの大きさが最小値でありえる。
【０１５１】
一方、劣化領域の最も外側の画素から第１劣化隣接領域の最も外側の画素に移動するほど、第１劣化隣接領域に含まれた画素の最終補償データの大きさが増加されるように第２補償ゲインを決定する。
【０１５２】
また、第１劣化隣接領域の最も外側の画素から第２劣化隣接領域の最も外側の画素に移動するほど、第２劣化隣接領域に含まれた画素の最終補償データの大きさが減少されるように第２補償ゲインを決定する。
【０１５３】
このとき、劣化領域に含まれる画素の最終補償データの最小値、または劣化隣接領域に含まれる画素の最終補償データの最大値を映像特性定数に基づいて決定することができる。
【０１５４】
Ｓ３段階で決定された第１補償ゲイン及び第２補償ゲインを利用して劣化領域に含まれた画素の補償データ、及び劣化隣接領域に含まれた画素の補償データを補正する（Ｓ４）。
【０１５５】
以上で説明した本発明の画素補償方法によれば、劣化領域に含まれた画素の最終補償データを減少させ、劣化隣接領域に含まれた画素の最終補償データを増加させることで、劣化による画質低下を防止すると同時に、劣化領域に含まれた画素の劣化度合いを減少させてディスプレイ装置の寿命を延長することができる。
【０１５６】
前述した本発明は、本発明が属する技術分野において通常の知識を有する者にとって、本発明の技術的思想を脱しない範囲内で様々な置換、変形及び変更が可能なので、前述した実施形態及び添付の図面によって限定されるものではない。
【図１】
0006517183.tif 000003
【図２】
0006517183.tif 000004
【図３】
0006517183.tif 000005
【図４】
0006517183.tif 000006
【図５】
0006517183.tif 000007
【図６】
0006517183.tif 000008
【図７】
0006517183.tif 000009
【図８】
0006517183.tif 000010
【図９】
0006517183.tif 000011
【図１０】
0006517183.tif 000012
【図１１】
0006517183.tif 000013